(57)【特許請求の範囲】
【請求項１】
音声を表すデータが記録された第１記録媒体又は音声及び映像を表すデータが記録された第２記録媒体からデータを読み出す読み出し部と、該読み出し部によって読み出したデータを音声信号へ変換する音声信号変換部と、該音声信号で表される音声を出力するスピーカと、再生する音声の音量を表す音量設定値を受け付ける受付部とを備え、前記音声信号で表される音声を、前記受付部で受け付けた音量設定値に対応する音量で前記スピーカから出力するテレビジョン装置において、
複数の音量設定値夫々に、音声信号のレベルを変化させる割合を表す第１レベル変化率、及び音声信号のレベルを変化させる割合を表し、前記第１レベル変化率とは異なる第２レベル変化率を対応付けて記憶してある記憶部と、再生対象が前記第１記録媒体及び前記第２記録媒体の何れであるかを判別する判別手段と、該判別手段が、再生対象が第１記録媒体であると判別した場合には、前記受付部で受け付けた音量設定値に対応する第１レベル変化率に基づいて、前記音声信号のレベルを変化させ、前記判別手段が、再生対象が第２記録媒体であると判別した場合には、前記受付部で受け付けた音量設定値に対応する第２レベル変化率に基づいて、前記音声信号のレベルを変化させるレベル変化部とを備えることを特徴とするテレビジョン装置。
【請求項２】
前記記憶部に記憶された前記第１レベル変化率および第２レベル変化率は、前記音量設定値の増加とともに、増加の割合が減少することを特徴とする請求項１記載のテレビジョン装置。
【請求項３】
音声を表すデータが記録された第１記録媒体又は音声及び映像を表すデータが記録された第２記録媒体からデータを読み出す読み出し部と、該読み出し部によって読み出したデータを音声信号へ変換する音声信号変換部と、該音声信号で表される音声を出力するスピーカと、再生する音声の音量を表す音量設定値を受け付ける受付部とを備え、前記音声信号で表される音声を、前記受付部で受け付けた音量設定値に対応する音量で前記スピーカから出力するテレビジョン装置において、
複数の音量設定値夫々に、音声信号のレベルを変化させる割合を表す異なる２つのレベル変化率を対応付けて記憶してある記憶部と、前記音声信号変換部が出力した音声信号の最大レベルを検出するレベル検出部と、該レベル検出部が検出した前記最大レベルが所定値を越えるか否かを判別する判別手段と、該判別手段の判別結果に基づいて、前記受付部で受け付けた音量設定値に対応する２つのレベル変化率から一方を選択し、選択したレベル変化率に基づいて、前記音声信号のレベルを変化させるレベル変化部とを備え、
前記レベル検出部は、前記読み出し部によって、再生対象の第１記録媒体又は第２記録媒体の全データを読み出し、読み出した全データから前記音声信号変換部による変換後の音声信号の前記最大レベルを検出することを特徴とするテレビジョン装置。
【請求項４】
前記レベル検出部が前記最大レベルを検出するときには、前記スピーカから音声が出力されないようにすることを特徴とする請求項３記載のテレビジョン装置。
【請求項５】
前記記憶部に記憶された前記２つのレベル変化率は、前記音量設定値の増加とともに、増加の割合が減少することを特徴とする請求項３または請求項４に記載のテレビジョン装置。
【発明の詳細な説明】
【０００１】
【発明の属する技術分野】
本発明は、ＣＤ又はＤＶＤ等の記録媒体に記録された音声又は画像等のデータを再生する再生機構を有するテレビジョン装置に関する。
【０００２】
【従来の技術】
ＤＶＤ（Digital Versatile Disk，Digital Video Disc）に記録されたデータを再生する再生機構を内蔵するテレビジョン装置が開発されている。このようなＤＶＤに記録されたデータを再生することが可能なテレビジョン装置は、ＣＤ（Compact Disc）等の他の光ディスクに記録されたデータも再生することができるようになっている。
【０００３】
ところで、ＤＶＤに記録された音声のデータの記録レベルは、ＣＤに記録された音声のデータの記録レベルより低く、ＣＤを再生した後に、音量レベルを変更せず、ＤＶＤを再生したときには、音量が小さくなり、またＤＶＤを再生した後に、音量レベルを変更せず、ＣＤを再生したときには、音量が大きくなるため、ユーザが違和感を感じるという問題があった。従って、ＣＤを再生した後にＤＶＤを再生する場合、又はＤＶＤを再生した後にＣＤを再生する場合には、ユーザが適宜音量レベルを調節する必要があった。
【０００４】
また、これと同様に、ＣＤ及びＬＤ（Laser Disc）に夫々記録された音声のデータの記録レベルも相違しており、これを解決すべく、特開平５−３６１９５号公報には、ＣＤを再生するときと、ＬＤを再生するときとにおいて各別に音声信号のレベルを調整し、ＣＤ及びＬＤの何れが再生される場合であっても、均等なレベルの音声信号を出力する再生装置が提案されている。
【０００５】
【発明が解決しようとする課題】
ところが、上述の如き従来のテレビジョン装置では、ＤＶＤ再生時の音量レベルと、ＣＤ再生時の音量レベルとを均等化することができず、また、特開平５−３６１９５号公報開示の再生装置は、ＣＤ及びＬＤ再生時の音量レベルの均等化を行うものであるため、ＤＶＤを再生するテレビジョン装置には利用することができないという問題があった。
【０００６】
本発明は斯かる事情に鑑みてなされたものであり、ＣＤを再生するときと、ＤＶＤを再生するときとにおいて、各別の変化率で音声信号のレベルを変化させ、ＣＤ及びＤＶＤの何れが再生される場合であっても、音量レベルを均等化するテレビジョン装置を提供することを目的とする。
【０００７】
【課題を解決するための手段】
第１発明に係るテレビジョン装置は、音声を表すデータが記録された第１記録媒体又は音声及び映像を表すデータが記録された第２記録媒体からデータを読み出す読み出し部と、該読み出し部によって読み出したデータを音声信号へ変換する音声信号変換部と、該音声信号で表される音声を出力するスピーカと、再生する音声の音量を表す音量設定値を受け付ける受付部とを備え、音声信号で表される音声を、受付部で受け付けた音量設定値に対応する音量でスピーカから出力するテレビジョン装置において、複数の音量設定値夫々に、音声信号のレベルを変化させる割合を表す第１レベル変化率、及び音声信号のレベルを変化させる割合を表し、第１レベル変化率とは異なる第２レベル変化率を対応付けて記憶してある記憶部と、再生対象が第１記録媒体及び第２記録媒体の何れであるかを判別する判別手段と、該判別手段が、再生対象が第１記録媒体であると判別した場合には、受付部で受け付けた音量設定値に対応する第１レベル変化率に基づいて、音声信号のレベルを変化させ、判別手段が、再生対象が第２記録媒体であると判別した場合には、受付部で受け付けた音量設定値に対応する第２レベル変化率に基づいて、音声信号のレベルを変化させるレベル変化部とを備えることを特徴とする。
【０００８】
第１発明においては、記憶部に記憶された第１レベル変化率および第２レベル変化率は、音量設定値の増加とともに、増加の割合が減少する。
【０００９】
第２発明に係るテレビジョン装置は、音声を表すデータが記録された第１記録媒体又は音声及び映像を表すデータが記録された第２記録媒体からデータを読み出す読み出し部と、該読み出し部によって読み出したデータを音声信号へ変換する音声信号変換部と、該音声信号で表される音声を出力するスピーカと、再生する音声の音量を表す音量設定値を受け付ける受付部とを備え、音声信号で表される音声を、受付部で受け付けた音量設定値に対応する音量でスピーカから出力するテレビジョン装置において、複数の音量設定値夫々に、音声信号のレベルを変化させる割合を表す異なる２つのレベル変化率を対応付けて記憶してある記憶部と、音声信号変換部が出力した音声信号の最大レベルを検出するレベル検出部と、該レベル検出部が検出した最大レベルが所定値を越えるか否かを判別する判別手段と、該判別手段の判別結果に基づいて、受付部で受け付けた音量設定値に対応する２つのレベル変化率から一方を選択し、選択したレベル変化率に基づいて、音声信号のレベルを変化させるレベル変化部とを備え、レベル検出部は、読み出し部によって、再生対象の第１記録媒体又は第２記録媒体の全データを読み出し、読み出した全データから音声信号変換部による変換後の音声信号の最大レベルを検出することを特徴とする。
【００１０】
第２発明においては、レベル検出部が最大レベルを検出するときには、スピーカから音声が出力されないようにする。また、第２発明においては、記憶部に記憶された２つのレベル変化率は、音量設定値の増加とともに、増加の割合が減少する。
【００１１】
【発明の実施の形態】
以下本発明をその実施の形態を示す図面に基づいて詳述する。
（実施の形態１）図１は本発明に係るテレビジョン装置の実施の形態１の構成を示すブロック図である。
【００１２】
図において、１はＤＶＤ及びＣＤのデータを読み出し、このデータから音声を表すアナログ信号へ変換し、このアナログ信号を出力するローダ部である。ローダ部１は、ＩＣ２に接続されており、このＩＣ２は、ユーザが操作パネル（図示せず）等を操作することによって、音量の設定を行ったときに、以下に説明するように、音量設定時にユーザが指示した音量設定値に応じて、前記アナログ信号のレベルを変更し、このアナログ信号を出力するようになっている。
【００１３】
ローダ部１は、再生対象として装着されたディスクがＤＶＤであるかＣＤであるかを判別し、この結果に応じた判別信号を出力するようになっており、この判別信号は、ＩＣ５に与えられるようになっている。このＩＣ５は、ＲＯＭ５１に接続されており、このＲＯＭ５１には、次に示すようにレベル変化率と音量設定値とが対応付けて記憶されている。
【００１４】
図２は、実施の形態１に係るテレビジョン装置のＲＯＭ５１に記録されているレベル変化率と音量設定値との対応関係を説明するグラフである。図において、縦軸はレベル変化率を示し、横軸は音量設定値を示している。図に示す如く、レベル変化率は、音量設定値が増加するとともに、増加するように定められており、音量設定値の増加とともに、レベル変化率の増加の割合が減少するようになされている。
【００１５】
図３は、実施の形態１に係るテレビジョン装置におけるＩＣ５の処理手順を示すフローチャートである。ＩＣ５は、まず、ＲＯＭ５１から、ユーザによって指定された音量設定値に対応するレベル変化率を読み出す（ステップ１）。次に、ローダ部１からの判別信号を受け付け（ステップ２）、この判別信号によって、再生対象のディスクＤがＤＶＤであるかＣＤであるかを判別する（ステップ３）。ステップ３において、再生対象のディスクＤがＤＶＤである場合、ステップ５へ移る。一方、ステップ３において、再生対象のディスクＤがＣＤである場合、ステップ１にて読み出したレベル変化率を予め定められた調整率で調整する（ステップ４）。ここで、ステップ４にて用いた調整率は、ステップ１にて読み出したレベル変化率を一定の割合で減少させるように、０乃至１の範囲で定められた定数としてあり、前記レベル変化率と調整率との積を、新たなレベル変化率とするようにしてある。そして、レベル変化率をＩＣ２へ出力し（ステップ５）、処理を終了する。
【００１６】
なお、レベル変化率の調整処理では、レベル変化率と調整率との積を算出し、これを新たなレベル変化率とする構成としたが、これに限らず、例えば、読み出したレベル変化率から定数を減じ、この結果を新たなレベル変化率とする構成としてもよい。
【００１７】
そして、ＩＣ５から出力されたレベル変化率が、ＩＣ２へ入力される。ＩＣ２は、入力したレベル変化率で、入力したアナログ信号のレベルを変化させ、出力する。
【００１８】
ＩＣ２には、増幅回路３が接続されており、ＩＣ２から出力されたアナログ信号のレベルを一定の増幅率で増幅するようになっている。そして、増幅回路３の後段にはスピーカ４が接続されており、増幅回路３にてレベルを増幅されたアナログ信号が表す音声を可聴音として出力するようになっている。
【００１９】
図４は、ＣＤ再生時及びＤＶＤ再生時夫々におけるレベル変化率と音量設定値との対応関係の相違を説明するグラフである。図において、縦軸はレベル変化率を示し、横軸は音量設定値を示している。また、実線はＤＶＤ再生時の音量設定値とレベル変化率との対応関係を表し、破線はＣＤ再生時の音量設定値とレベル変化率との対応関係を表している。図に示すように、ＤＶＤ再生時のレベル変化率に対して、ＣＤ再生時のレベル変化率は一定の割合で減少しており、これによって、ＣＤ再生時の音量レベルがＤＶＤ再生時の音量レベルに比して減少する。
【００２０】
なお、本実施の形態１では、ＤＶＤ再生時のレベル変化率を調整せず、ＣＤ再生時のレベル変化率を、ＤＶＤ再生時のレベル変化率より減少するように調整する構成としたが、これに限らず、例えば、ＤＶＤ再生時のレベル変化率及びＣＤ再生時のレベル変化率を夫々異なる調整率で調整する構成としてもよいし、ＣＤ再生時のレベル変化率を調整せず、ＤＶＤ再生時のレベル変化率を、ＣＤ再生時のレベル変化率より増加するように調整する構成としてもよいことはいうまでもない。
【００２１】
次に、ローダ部１の構成を説明する。図５は、ローダ部１の構成を示すブロック図である。ローダ部１は、ＤＶＤ又はＣＤであるディスクＤからデータを読み出すピックアップ１１を備えている。ピックアップ１１には、ピックアップ１１からの出力によって、再生対象のディスクＤがＤＶＤであるかＣＤであるかを判別するＩＣ１Ｃが接続されており、該ＩＣ１Ｃが出力する判別信号が、前述したＩＣ５へ与えられるようになっている。また、ＩＣ１Ｃは、スイッチ１Ｄに接続されており、再生対象のディスクＤがＤＶＤである場合には、スイッチ１Ｄを図中ａ側に接続し、再生対象のディスクＤがＣＤである場合には、スイッチ１Ｄを図中ｂ側に接続する。更に、ＩＣ１Ｃは、再生対象のディスクＤがＤＶＤであるか、ＣＤであるかに応じて、ピックアップ１１の対物レンズをＤＶＤ用又はＣＤ用の対物レンズに切り換える切換制御を行うようになっている。
【００２２】
再生対象のディスクＤがＤＶＤである場合、ピックアップ１１によりディスクＤから読み出された信号は、ＲＦアンプ１２によりデジタルデータに変換されて、デジタル信号処理回路１３に与えられる。デジタル信号処理回路１３ではＲＦアンプ１２から入力したデジタルデータに対して誤り訂正等の処理を行い、デジタル信号処理回路１３から出力されたデジタルデータは、スイッチ１Ｄがａ側に接続されているため、ストリーム分離回路１４に与えられる。
【００２３】
ストリーム分離回路１４は、デジタル信号処理回路１３から与えられたデジタルデータを、ビデオ、オーディオ、及び字幕情報等のサブピクチャの各ビットストリームに分離する。ビデオビットストリームは、ＭＰＥＧ２デコーダ回路１５に入力される。このビデオビットストリームは、ＭＰＥＧ２方式により圧縮符号化されており、ＭＰＥＧ２デコーダ回路１５では、ビデオビットストリームを伸張して復号化処理することにより、ビデオビットストリームをデジタルビデオ信号へ変換し、このデジタルビデオ信号がビデオ合成回路１６の一方の入力端子に入力される。
【００２４】
ストリーム分離回路１４から出力されたサブピクチャビットストリームは、サブピクチャデコーダ回路１７に入力され、伸張処理が施されてデジタルサブピクチャ信号とされた後、ビデオ合成回路１６の他方の入力端子に入力される。
【００２５】
ビデオ合成回路１６に入力されたデジタルビデオ信号には、このビデオ合成回路１６に入力されたデジタルサブピクチャ信号が合成され、これによって得られたデジタルビデオ信号がＮＴＳＣデコーダ回路１８へ出力される。ＮＴＳＣデコーダ回路１８は、入力したデジタルビデオ信号を、ＮＴＳＣ方式の映像を表すデジタル信号へ変換し、これがＤ／Ａ変換器１９によってＤ／Ａ変換されて、ローダ部１の外部へ出力される。
【００２６】
一方、ストリーム分離回路１４から出力されたオーディオビットストリームは、ＡＣ−３デコーダ回路１Ａに入力される。オーディオビットストリームは、ＡＣ−３方式により圧縮符号化されており、ＡＣ−３デコーダ回路１Ａでは、オーディオビットストリームを伸張して復号化処理することにより、オーディオビットストリームをデジタルオーディオ信号へ変換する。
【００２７】
このようにして得られたデジタルオーディオ信号は、ＡＣ−３デコーダ回路１Ａに接続されたＤ／Ａ変換器１Ｂに入力されてＤ／Ａ変換され、音声を表すアナログ信号としてＩＣ２へ出力される。
【００２８】
また、再生対象のディスクＤがＣＤである場合、ピックアップ１１によりディスクＤから読み出された信号は、ＲＦアンプ１２によりデジタルデータに変換されて、デジタル信号処理回路１３に与えられる。デジタル信号処理回路１３ではＲＦアンプ１２から入力したデジタルデータに対して誤り訂正等の処理を行い、デジタル信号処理回路１３から出力されたデジタルデータは、スイッチ１Ｄがｂ側に接続されているため、ＰＣＭ復調回路１Ｅに与えられる。
【００２９】
ＰＣＭ復調回路１Ｅは、与えられたデジタルデータをＰＣＭ復調してアナログ信号とし、この音声を表すアナログ信号を、ＩＣ２へ出力するようになっている。
【００３０】
以上の如き構成により、ＤＶＤが再生されるときには、ＩＣ５によってレベル変化率を調整せず、ＩＣ２へレベル変化率をそのまま出力し、ＩＣ２がこのレベル変化率を用いて音声信号のレベルを変化させる。一方、ＣＤが再生されるときには、ＩＣ５によってレベル変化率を調整し、ＤＶＤ再生時のレベル変化率に比してレベル変化率を減少させ、このレベル変化率をＩＣ２へ出力し、ＩＣ２がこのレベル変化率を用いて音声信号のレベルを変化させる。このようにすることにより、ＤＶＤ及びＣＤの再生時の音量レベルを均等化することができる。
【００３１】
（実施の形態２）図６は、実施の形態２に係るテレビジョン装置のＲＯＭ５１に記録されているレベル変化率と音量設定値との対応関係を説明するグラフである。図において、縦軸はレベル変化率を示し、横軸は音量設定値を示している。図に示す如く、本実施の形態２に係るテレビジョン装置では、ＣＤ再生用のレベル変化率及び音量設定値の対応関係と、ＤＶＤ再生用のレベル変化率及び音量設定値の対応関係との両方をＲＯＭ５１に記憶してある。夫々の対応関係は、レベル変化率が音量設定値の増加とともに増加するように定められており、音量設定値の増加とともに、レベル変化率の増加の割合が減少するようになされている。また、音量設定値の全域に亘って、ＣＤ再生用のレベル変化率が、ＤＶＤ再生用のレベル変化率に比して小さくなるようにしてある。
【００３２】
図７は、実施の形態２に係るテレビジョン装置におけるＩＣ５の処理手順を示すフローチャートである。ＩＣ５は、まず、ローダ部１の判別信号を受け付け（ステップ２１）、この判別信号によって、再生対象のディスクＤがＤＶＤであるかＣＤであるかを判別する（ステップ２２）。ステップ２２において、再生対象のディスクＤがＤＶＤである場合、ＲＯＭ５１から、ＤＶＤ再生用のレベル変化率及び音量設定値の対応関係を用いて、ユーザによって指定された音量設定値に対応するレベル変化率を読み出し（ステップ２３）、ステップ２５へ移る。一方、ステップ２２において、再生対象のディスクＤがＣＤである場合、ＲＯＭ５１から、ＣＤ再生用のレベル変化率及び音量設定値の対応関係を用いて、ユーザによって指定された音量設定値に対応するレベル変化率を読み出し（ステップ２４）、レベル変化率をＩＣ２へ出力し（ステップ２５）、処理を終了する。
【００３３】
また、本実施の形態２に係るテレビジョン装置の構成は、実施の形態１に係るテレビジョン装置の構成と同様であるので、説明を省略する。
【００３４】
以上の如き構成により、ＤＶＤが再生されるときには、ＩＣ５によってＤＶＤ用のレベル変化率を読み出し、これをＩＣ２へ出力し、ＩＣ２がこのレベル変化率を用いて音声信号のレベルを変化させる。一方、ＣＤが再生されるときには、ＩＣ５によってＣＤ用のレベル変化率を読み出し、これをＩＣ２へ出力し、ＩＣ２がこのレベル変化率を用いて音声信号のレベルを変化させる。従って、ＣＤ再生時のレベル変化率及びＤＶＤ再生時のレベル変化率の大きさを適宜定めることにより、ＤＶＤ及びＣＤの再生時の音量レベルを均等化することができる。
【００３５】
（実施の形態３）図８は、本発明に係るテレビジョン装置の実施の形態３の構成を示すブロック図である。ローダ部１とＩＣ２との相互接続点には、Ａ／Ｄ変換器７の入力側端子が接続されており、該Ａ／Ｄ変換器７の出力側端子がＩＣ５に接続されている。これにより、ローダ部１からＩＣ２へ出力される音声のアナログ信号を、Ａ／Ｄ変換器７によってＡ／Ｄ変換し、得られたデジタル信号をＩＣ５へ入力するようになっている。また、ローダ部１に新たなディスクＤが装着された場合に、ローダ部１はＩＣ５へ、ディスク装着を表す信号を出力するようになっている。また、本実施の形態３に係るテレビジョン装置のその他の構成は、実施の形態１に係るテレビジョン装置の構成と同様であるので、その説明を省略する。
【００３６】
図９は、実施の形態３に係るテレビジョン装置のＲＯＭ５１に記録されているレベル変化率と音量設定値との対応関係を説明するグラフである。図において、縦軸はレベル変化率を示し、横軸は音量設定値を示している。図に示す如く、本実施の形態３に係るテレビジョン装置では、記録された全データに含まれる音声データの記録レベルのうち最大レベルＬが予め与えられた閾値Ｔを越えるディスク（以下、第１ディスクという）の再生用のレベル変化率及び音量設定値の対応関係と、前記最大レベルＬが前記閾値Ｔを越えないディスク（以下、第２ディスクという）のレベル変化率及び音量設定値の対応関係との両方をＲＯＭ５１に記憶してある。夫々の対応関係は、レベル変化率が音量設定値の増加とともに増加するように定められており、音量設定値の増加とともに、レベル変化率の増加の割合が減少するようになされている。また、音量設定値の全域に亘って、第１ディスク再生用のレベル変化率が、第２ディスク再生用のレベル変化率に比して小さくなるようにしてある。
【００３７】
図１０は、実施の形態３に係るテレビジョン装置のＩＣ５の処理手順を示すフローチャートである。ＩＣ５は、ローダ部１からの信号を受け付け（ステップ３０１）、ローダ部１に新たなディスクＤが装着された場合には、ローダ部１へ、このディスクＤの全データを読み出す指示を与える（ステップ３０２）。ローダ部１は、この指示を受けてディスクＤから全データを読み出し、音声を表すアナログ信号へ変換して、ＩＣ２へ出力する。また、ＩＣ５は、ＩＣ２へアナログ信号を出力させない指示を与える（ステップ３０３）。ＩＣ２は、この指示を受けてアナログ信号の出力を停止する。
【００３８】
ＩＣ２へ出力されたアナログ信号は、Ａ／Ｄ変換器７によってデジタル信号へ変換され、ＩＣ５へ入力される。ＩＣ５は、このデジタル信号を受け付け（ステップ３０４）、デジタル信号に含まれる音声データの記録レベルのうちの最大レベルＬを検出する（ステップ３０５）。そして、この最大レベルＬが閾値Ｔを越えるか否かを判別し（ステップ３０６）、閾値Ｔを越える場合、ＲＯＭ５１から、第１ディスク再生用のレベル変化率及び音量設定値の対応関係を用いて、ユーザによって指定された音量設定値に対応するレベル変化率を読み出し（ステップ３０７）、ステップ３０９へ移る。一方、ステップ３０６において、最大レベルＬが閾値Ｔを越えない場合、ＲＯＭ５１から、第２ディスク再生用のレベル変化率及び音量設定値の対応関係を用いて、ユーザによって指定された音量設定値に対応するレベル変化率を読み出し（ステップ３０８）、レベル変化率をＩＣ２へ出力し（ステップ３０９）、ＩＣ２へアナログ信号の出力を行う指示を与え（ステップ３１０）、処理を終了する。
【００３９】
以上の如き構成により、ＣＤのような音声データの記録レベルが高い第１ディスクが再生されるときには、ＩＣ５によって第１ディスク再生用のレベル変化率を読み出し、これをＩＣ２へ出力し、ＩＣ２がこのレベル変化率を用いて音声信号のレベルを変化させる。一方、ＤＶＤのような音声データの記録レベルが低い第２ディスクが再生されるときには、ＩＣ５によって第２ディスク再生用のレベル変化率を読み出し、これをＩＣ２へ出力し、ＩＣ２がこのレベル変化率を用いて音声信号のレベルを変化させる。従って、第１ディスク再生時のレベル変化率及び第２ディスク再生時のレベル変化率の大きさを適宜定めることにより、音声データの記録レベルが高いディスク及び前記記録レベルが低いディスクの再生時の音量レベルを均等化することができる。
【００４０】
（実施の形態４）図１１は、本発明に係るテレビジョン装置の実施の形態４の構成を示すブロック図である。ＩＣ２と増幅回路３との相互接続点には、Ａ／Ｄ変換器８の入力側端子が接続されており、該Ａ／Ｄ変換器８の出力側端子がＩＣ５に接続されている。これにより、ＩＣ２から増幅回路３へ出力される音声のアナログ信号を、Ａ／Ｄ変換器８によってＡ／Ｄ変換し、得られたデジタル信号をＩＣ５へ入力するようになっている。また、ローダ部１に新たなディスクＤが装着された場合に、ローダ部１はＩＣ５へ、ディスク装着を表す信号を出力するようになっている。また、本実施の形態４に係るテレビジョン装置のその他の構成は、実施の形態１に係るテレビジョン装置の構成と同様であるので、その説明を省略する。
【００４１】
本実施の形態４に係るテレビジョン装置のＲＯＭ５１のレベル変化率と音量設定値との対応関係に関する記憶内容は、実施の形態３に係るテレビジョン装置のＲＯＭ５１のレベル変化率と音量設定値との対応関係に関する記憶内容と同様であるので、その説明を省略する。
【００４２】
図１２は、実施の形態４に係るテレビジョン装置のＩＣ５の処理手順を示すフローチャートである。ＩＣ５は、ローダ部１からの信号を受け付け（ステップ４０１）、ローダ部１に新たなディスクＤが装着された場合には、ローダ部１へ、このディスクＤの全データを読み出す指示を与える（ステップ４０２）。ローダ部１は、この指示を受けてディスクＤから全データを読み出し、音声を表すアナログ信号へ変換して、ＩＣ２へ出力する。ＩＣ２は、このアナログ信号のレベルをこのときのレベル変化率によって変化させ、出力する。
【００４３】
ＩＣ２から出力されたアナログ信号は、Ａ／Ｄ変換器８によってデジタル信号へ変換され、ＩＣ５へ入力される。ＩＣ５は、このデジタル信号を受け付け（ステップ４０３）、デジタル信号に含まれる音声データの記録レベルのうちの最大レベルＬ１を検出する（ステップ４０４）。そして、ＩＣ５は、現在のレベル変化率を読み出し（ステップ４０５）、前記最大レベルＬ１が、このレベル変化率による変化前のレベルＬ２を算出する（ステップ４０６）。このレベルＬ２が閾値Ｔを越えるか否かを判別し（ステップ４０７）、閾値Ｔを越える場合、ＲＯＭ５１から、第１ディスク再生用のレベル変化率及び音量設定値の対応関係を用いて、ユーザによって指定された音量設定値に対応するレベル変化率を読み出し（ステップ４０８）、ステップ４１０へ移る。一方、ステップ４０７において、レベルＬ２が閾値Ｔを越えない場合、ＲＯＭ５１から、第２ディスク再生用のレベル変化率及び音量設定値の対応関係を用いて、ユーザによって指定された音量設定値に対応するレベル変化率を読み出し（ステップ４０９）、レベル変化率をＩＣ２へ出力し（ステップ４１０）、処理を終了する。
【００４４】
以上の如き構成により、ＣＤのような音声データの記録レベルが高い第１ディスクが再生されるときには、ＩＣ５によって第１ディスク再生用のレベル変化率を読み出し、これをＩＣ２へ出力し、ＩＣ２がこのレベル変化率を用いて音声信号のレベルを変化させる。一方、ＤＶＤのような音声データの記録レベルが低い第２ディスクが再生されるときには、ＩＣ５によって第２ディスク再生用のレベル変化率を読み出し、これをＩＣ２へ出力し、ＩＣ２がこのレベル変化率を用いて音声信号のレベルを変化させる。従って、第１ディスク再生時のレベル変化率及び第２ディスク再生時のレベル変化率の大きさを適宜定めることにより、音声データの記録レベルが高いディスク及び前記記録レベルが低いディスクの再生時の音量レベルを均等化することができる。
【００４５】
【発明の効果】
以上詳述した如く、第１発明に係るテレビジョン装置による場合は、音量設定値に夫々対応する第１レベル変化率及び第２レベル変化率を予め記憶部に記憶しておき、再生対象が第１記録媒体である場合には、第１レベル変化率を用いて音声信号のレベルを変化させ、再生対象が第２記録媒体である場合には、第２レベル変化率を用いて音声信号のレベルを変化させる。従って、第１レベル変化率及び第２レベル変化率を適宜定めることにより、第１記録媒体のデータを再生するときの音量レベルと、第２記録媒体のデータを再生するときの音量レベルとを均等化することができる。
【００４６】
第２発明に係るテレビジョン装置による場合は、音量設定値に夫々対応する異なる２つのレベル変化率を予め記憶部に記憶しておき、音声信号出力部が出力した音声信号の最大レベルが所定値を越えるか否かに基づいて、前記レベル変化率の一方を選択し、選択したレベル変化率を用いて音声信号のレベルを変化させる。従って、２つのレベル変化率を適宜定めることにより、第１記録媒体及び第２記録媒体に関わらず、記録レベルが高い音声データを再生するときの音量レベルと、記録レベルが低い音声データを再生するときの音量レベルとを均等化することができる。
【図面の簡単な説明】
【図１】本発明に係るテレビジョン装置の実施の形態１の構成を示すブロック図である。
【図２】実施の形態１に係るテレビジョン装置のＲＯＭに記録されているレベル変化率と音量設定値との対応関係を説明するグラフである。
【図３】実施の形態１に係るテレビジョン装置におけるＩＣの処理手順を示すフローチャートである。
【図４】ＣＤ再生時及びＤＶＤ再生時夫々におけるレベル変化率と音量設定値との対応関係の相違を説明するグラフである。
【図５】ローダ部の構成を示すブロック図である。
【図６】実施の形態２に係るテレビジョン装置のＲＯＭに記録されているレベル変化率と音量設定値との対応関係を説明するグラフである。
【図７】実施の形態２に係るテレビジョン装置におけるＩＣの処理手順を示すフローチャートである。
【図８】本発明に係るテレビジョン装置の実施の形態３の構成を示すブロック図である。
【図９】実施の形態３に係るテレビジョン装置のＲＯＭに記録されているレベル変化率と音量設定値との対応関係を説明するグラフである。
【図１０】実施の形態３に係るテレビジョン装置のＩＣの処理手順を示すフローチャートである。
【図１１】本発明に係るテレビジョン装置の実施の形態４の構成を示すブロック図である。
【図１２】実施の形態４に係るテレビジョン装置のＩＣの処理手順を示すフローチャートである。
【符号の説明】
１ ローダ部
１１ ピックアップ
１２ ＲＦアンプ
１３ デジタル信号処理回路
１４ ストリーム分離回路
１Ａ ＡＣ−３デコーダ回路
１Ｂ Ｄ／Ａ変換器
１Ｃ ＩＣ
１Ｄ スイッチ
１Ｅ ＰＣＭ復調回路
２ ＩＣ
５ ＩＣ
５１ ＲＯＭ
【図１】
0003596000.tif 000002
【図２】
0003596000.tif 000003
【図３】
0003596000.tif 000004
【図４】
0003596000.tif 000005
【図５】
0003596000.tif 000006
【図６】
0003596000.tif 000007
【図７】
0003596000.tif 000008
【図８】
0003596000.tif 000009
【図９】
0003596000.tif 000010
【図１０】
0003596000.tif 000011
【図１１】
0003596000.tif 000012
【図１２】
0003596000.tif 000013